(57)【要約】【課題】  本発明の目的は、複数回の撮影を行うことにより動画を作成する一連の撮影において、ユーザが被写体の変化の程度を確認することができる表示制御装置を提供することである。【解決手段】  第１の撮影と、前記第１の撮影の後の第２の撮影と、前記第２の撮影の後の第３の撮影を含む複数回の撮影をするように制御する撮影制御手段と、前記複数回の撮影を行う一連の撮影が終了する前の前記第３の撮影後に、前記第２の撮影で得られた画像に基づいた画像は表示せず、少なくとも前記第１の撮影で得られた画像に基づいた画像を表示手段に表示するように制御する制御手段と、を有することを特徴とする表示制御装置。【選択図】  図３
2015233249.tif 000002
【特許請求の範囲】
【請求項１】
第１の撮影と、前記第１の撮影の後の第２の撮影と、前記第２の撮影の後の第３の撮影を含む複数回の撮影をするように制御する撮影制御手段と、
前記複数回の撮影を行う一連の撮影が終了する前の前記第３の撮影後に、前記第２の撮影で得られた画像に基づいた画像は表示せず、少なくとも前記第１の撮影で得られた画像に基づいた画像を表示手段に表示するように制御する制御手段と、を有することを特徴とする表示制御装置。
【請求項２】
前記制御手段は、前記第３の撮影後に、少なくとも前記第１の撮影で得られた画像と前記第３の撮影で得られた画像を前記表示手段に表示するように制御することを特徴とする請求項１に記載の表示制御装置。
【請求項３】
前記制御手段は、前記第１の撮影で得られた画像と前記第３の撮影で得られた画像とを共に前記表示手段に表示するように制御することを特徴とする請求項１または２に記載の表示制御装置。
【請求項４】
前記複数回の撮影を行う一連の撮影が終了する前の前記第３の撮影後に、前記制御手段は、前記第２の撮影で得られた画像は含めずに、少なくとも前記第１の撮影で得られた画像と前記第３の撮影で得られた画像とを合成した静止画を前記表示手段に表示するように制御することを特徴とする請求項１または２に記載の表示制御装置。
【請求項５】
前記制御手段は、前記第２の撮影で得られた画像を含めずに、前記第１の撮影と前記第３の撮影で得られた画像を含めた複数の画像を１枚ずつ切替えて表示するように制御することを特徴とする請求項１または２に記載の表示制御装置。
【請求項６】
さらに、前記一連の撮影には前記第３の撮影の後に第４の撮影が含まれており、
前記制御手段は、前記第１の撮影で得られた画像に基づいた画像は前記第３の撮影後、前記第４の撮影開始の前に前記表示手段に表示するように制御することを特徴とする請求項１乃至５のいずれか１項に記載の表示制御装置。
【請求項７】
さらに、前記一連の撮影で得られた画像で動画ファイルを作成する動画作成手段を有することを特徴とする請求項１乃至６のいずれか１項に記載の表示制御装置。
【請求項８】
前記第１の撮影で得られた画像は前記複数回の撮影のうち事前に設定された条件を満たす１枚の画像であることを特徴とする請求項１乃至７のいずれか１項に記載の表示制御装置。
【請求項９】
前記第１の撮影は前記複数回の撮影のうち１回目の撮影であることを特徴とする請求項１乃至８のいずれか１項に記載の表示制御装置。
【請求項１０】
前記撮影制御手段は、前記第１の撮影と、前記第２の撮影と、前記第３の撮影とを含む複数回の撮影を１回の撮影指示に応じて行うことを特徴とする請求項１乃至９の何れか１項に記載の表示制御装置。
【請求項１１】
複数回の撮影をするように制御する撮影制御手段と、
前記撮影制御手段による撮影で得られた複数枚の画像で動画ファイルを作成する動画作成手段と、
前記複数回の撮影を行う一連の撮影処理が終了する前に行われた撮影の後に、前記複数回の撮影に含まれる画像のうち該撮影の前の撮影において得られた画像の全てに基づいた表示をすることなく、少なくとも該撮影において得られた第１の画像と該撮影より前の撮影において得られた第２の画像とに基づく表示をするように制御する制御手段と、を有することを特徴とする表示制御装置。
【請求項１２】
前記表示は、少なくとも前記第１の画像と前記第２の画像とから生成される動画の表示、少なくとも前記第１の画像と前記第２の画像とを合成した画像の表示、少なくとも前記第１の画像と前記第２の画像とを共に表示する表示、少なくとも前記第１の画像と前記第２の画像とを１枚ずつ画像を自動的に切り換えて表示する表示の何れかであることを特徴とする請求項１１に記載の表示制御装置。
【請求項１３】
前記合成は比較明合成または比較暗合成であることを特徴とする請求項４または１２に記載の表示制御装置。
【請求項１４】
第１の撮影と、前記第１の撮影の後の第２の撮影と、前記第２の撮影の後の第３の撮影を含む複数回の撮影をするように制御する撮影制御ステップと、
前記複数回の撮影を行う一連の撮影が終了する前の前記第３の撮影後に、前記第２の撮影で得られた画像に基づいた画像は表示せず、少なくとも前記第１の撮影で得られた画像に基づいた画像を表示手段に表示するように制御する制御ステップと、を有することを特徴とする表示制御装置の制御方法。
【請求項１５】
複数回の撮影をするように制御する撮影制御ステップと、
前記撮影制御ステップにおける撮影で得られた複数枚の画像で動画ファイルを作成する動画作成ステップと、
前記複数回の撮影を行う一連の撮影処理が終了する前に行われた撮影の後に、前記複数回の撮影に含まれる画像のうち該撮影の前の撮影において得られた画像の全てに基づいた表示をすることなく、少なくとも該撮影において得られた第１の画像と該撮影より前の撮影において得られた第２の画像とに基づく表示をするように制御する制御ステップと、を有することを特徴とする表示制御装置の制御方法。
【請求項１６】
コンピュータを、請求項１乃至１３のいずれか１項に記載された表示制御装置の各手段として機能させるためのプログラム。
【請求項１７】
コンピュータを、請求項１乃至１３のいずれか１項に記載された表示制御装置の各手段として機能させるためのプログラムを格納したコンピュータが読み取り可能な記録媒体。
【発明の詳細な説明】
【技術分野】
【０００１】
本発明は、複数回の撮影を行う一連の撮影中に、撮影によって得られた画像を表示する表示制御装置、表示制御装置の制御方法、プログラム、及びプログラムを格納した記録媒体に関する。
【背景技術】
【０００２】
近年、同じ範囲又は被写体を一定間隔で静止画を連続撮影し、撮影した順を元に撮影した静止画から動画ファイルを作成する方法が人気を博している。この撮影方法では、連続撮影を行うことで撮影範囲内にある被写体の動きや変化が動画で時系列順に分かる。
【０００３】
特許文献１には、複数の静止画像から動画を作成する場合の静止画の撮影中に、シャッターボタンの押下、撮影した枚数、記録媒体の残容量といった終了条件が満たされたことにより撮影を終了することが開示されている。また、撮影直後に撮影した画像データを再生するクイックレビュー機能の設定について開示されている。
【先行技術文献】
【特許文献】
【０００４】
【特許文献１】特開２００７−２１５００６号公報
【発明の概要】
【発明が解決しようとする課題】
【０００５】
特許文献１の撮影方法では、複数回の撮影の途中にクイックレビュー機能によって直前に撮影された画像のみを確認できるが、ユーザは作成される動画にどの程度の被写体の動きが含まれているのかを確認することができなかった。
【０００６】
本発明は上記課題に鑑み、複数回の撮影を行うことにより動画を作成する一連の撮影において、ユーザが被写体の変化の程度を確認することができる表示制御装置を提供することにある。
【課題を解決するための手段】
【０００７】
上記目的を達成するために、本発明は、第１の撮影と、前記第１の撮影の後の第２の撮影と、前記第２の撮影の後の第３の撮影を含む複数回の撮影をするように制御する撮影制御手段と、前記複数回の撮影を行う一連の撮影が終了する前の前記第３の撮影後に、前記第２の撮影で得られた画像に基づいた画像は表示せず、少なくとも前記第１の撮影で得られた画像に基づいた画像を表示手段に表示するように制御する制御手段と、を有することを特徴とする。
【発明の効果】
【０００８】
本発明によれば、複数回の撮影の途中に被写体の変化の程度を確認することができる。
【図面の簡単な説明】
【０００９】
【図１】本実施例の構成を適用可能な装置の一例としてのデジタルカメラの構成例を示す図。
【図２】本実施例の構成を適用可能な装置の一例としてのデジタルカメラの構成例を示す図。
【図３】実施例１の形態に係る星空インターバル動画の流れを示すフローチャート。
【図４】実施例１の形態に係るデジタルカメラの表示部への表示例を示す図。
【図５】実施例２の形態に係る星空インターバル動画の流れを示すフローチャート。
【発明を実施するための形態】
【００１０】
＜ハードウェア＞
図１に、本発明を適用可能なデジタルカメラ１００の構成の一例を示す（背面外観図）。
【００１１】
表示部２８は画像や各種情報を表示する表示部である。
【００１２】
シャッターボタン６１は撮影指示を行うための操作部である。モード切替スイッチ６０は各種モードを切り替えるための操作部である。コネクタ１１２は例えばＰＣやプリンタと接続するための接続ケーブル１１１とデジタルカメラ１００に接続するためのコネクタである。操作部７０はユーザからの各種操作を受け付ける各種スイッチ、ボタン、タッチパネル等の操作部材より成る操作部である。コントローラーホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。
【００１３】
図２は、本実施形態によるデジタルカメラ１００の構成例を示すブロック図である。
【００１４】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記録容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８に表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１８】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記録される。ここでいう、プログラムとは、本実施形態にて後述する各種フローチャートを実行するためのコンピュータプログラムのことである。
【００１９】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。
【００２１】
モード切替スイッチ６０、シャッターボタン６１、操作部７０はシステム制御部５０に各種の動作指示を入力するための操作手段である。
【００２２】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。電源スイッチ７２は、電源オン、電源オフを切り替えるための押しボタンである。記録媒体２００は、撮影された画像を記録するためのメモリカード等の記録媒体であり、半導体メモリや光ディスク、磁気ディスク等から構成される。
【００２７】
実施例１及び２では長秒露光（長秒撮影）により静止画を撮影する星空インターバル動画を、本発明を適用可能な例として説明するが、本発明はこれに限ったものではなく長秒露光を行わない撮影であってもよい。
【００２８】
［実施例１］
図３及び図４（ａ）、（ｂ）を参照して実施例１の星空インターバル動画について説明する。星空インターバル動画では、一度の撮影指示により複数回の静止画撮影が行われ、その静止画から動画を生成（動画作成）し、記録する。図３は本実施例における星空インターバル動画の処理を示している。
【００２９】
この処理は、不揮発性メモリ５６に記録されたプログラムをシステムメモリ５２に展開してシステム制御部５０が実行することで実現する。また、図３の処理は、デジタルカメラ１００を起動して、星空モードの星空インターバル動画に設定された状態で操作部７０（に含まれるＤＩＳＰボタンの押下）により選択指示が入力されると開始する。星空モードには、星空スナップ、星空夜景、星空軌跡、星空インターバル動画の４つの動作モードがあり、いずれかを選択可能である。
【００３０】
Ｓ３０１では、システム制御部５０は、操作モードの撮影に関するパラメータといった初期表示を表示部２８に行う。
【００３１】
Ｓ３０２では、システム制御部５０は、ユーザの操作により星空モードの選択を受け付ける。星空モードの選択を受け付けた場合には、Ｓ３０３へ進み、そうでない場合はＳ３０４へ進む。
【００３２】
Ｓ３０３では、システム制御部５０は、前述の星空モードのうちいずれかをユーザが選択する操作を受け付け、選択されたモードの処理に移る。本実施例では、星空インターバル動画を選択した場合について説明する。
【００３３】
Ｓ３０４では、システム制御部５０は、総撮影時間の設定を行うか否かの選択を受け付ける。総撮影時間の設定を行うと選択された場合には、Ｓ３０５へ進み、そうでない場合はＳ３０６へ進む。総撮影時間は１回の撮影指示により行う一連の星空インターバル動画の撮影時間の長さである。ここで、総撮影時間が設定されない場合には、ユーザにより撮影の終了指示があるまで、若しくは、電池が切れるまで撮影は続けられる。
【００３４】
Ｓ３０５では、システム制御部５０は、総撮影時間を設定する。ここで、総撮影時間は１時間や２時間といった時間単位や、１日や２日などの日にち単位で設定することができる。
【００３５】
Ｓ３０６では、システム制御部５０は、撮影間隔の設定を行うか否かの選択を受け付ける。撮影間隔の設定を行うと選択された場合には、Ｓ３０７へ進み、そうでない場合はＳ３０８へ進む。撮影間隔は、星空インターバル動画の各コマの撮影間の時間間隔である。撮影間隔が設定されない場合には、前回設定された時間間隔の値若しくは初期値である１分に設定される。
【００３６】
Ｓ３０７では、システム制御部５０は、撮影間隔Ｔ１を設定する。撮影間隔Ｔ１はユーザが自由に設定することができる。総撮影時間を撮影間隔Ｔ１で割ると総撮影枚数になる。撮影間隔Ｔ１は秒間隔、時間間隔、日にち間隔でもよくユーザがどのような時間の単位で被写体の細かな動きを観察したいかによって設定するとよい。
【００３７】
Ｓ３０８では、システム制御部５０は、素材保存をするか否かユーザに選択させる。素材保存すると選択された場合にはＳ３０９へ進み、そうでない場合にはＳ３１０へ進む。素材保存とは、星空インターバル動画において撮影された静止画を動画とは別に一枚一枚静止画として保存することである。
【００３８】
Ｓ３０９では、システム制御部５０は、素材保存するという設定を行い、システムメモリ５２に記録する。
【００３９】
Ｓ３１０では、システム制御部５０は、操作部７０に含まれる動画ボタンがオンになったか否かを判定する。オンになったと判定した場合には、Ｓ３１１へ進み、そうでない場合はＳ３０１へ戻る。
【００４０】
Ｓ３１１では、システム制御部５０は、撮像部２２の撮影レンズ１０３の焦点を被写体に合わせる（ＡＦ処理）と共に、測光処理を行ってシャッター１０１の絞り値及びシャッター時間（露光時間）を決定する（ＡＥ処理）。なお、撮影間隔Ｔ１はシャッター時間と黒引き処理にかかる時間より長ければよい。
【００４１】
Ｓ３１２では、システム制御部５０は、長秒撮影のためのノイズ低減処理や、後述する静止画撮影の撮影回数のカウンタに初期値を設定するなどの初期化処理を行う。
【００４２】
Ｓ３１３では、システム制御部５０は、総撮影時間の計測を開始する。
【００４３】
Ｓ３１４では、システム制御部５０は、静止画を撮影し、撮影間隔Ｔ１の計測を開始する。静止画の撮影はＳ３１１で決定した絞り値及び露光時間の条件において行われる。
【００４４】
Ｓ３１５では、システム制御部５０は、Ｓ３１４で行った長秒撮影のノイズ処理を行うためにシャッター１０１を閉じて黒画像を長秒撮影する。さらに、画像処理部２４はＳ３１４で得られた画像とＳ３１５で得られた画像を処理することでノイズ低減した画像を生成することができる（黒引き処理）。
【００４５】
Ｓ３１６では、システム制御部５０は、基本画像を静止画の画像ファイルとして記録媒体２００（不揮発性メモリ）に記録（保存）する。この基本画像とは１枚目の静止画（Ｓ３１４で撮影され、Ｓ３１５で黒引き処理が行われた画像）のことであり、被写体の最初の状態を示す静止画である。前述したＳ３０８において、素材保存設定を行っているか否かに関わらず、Ｓ３１６においては基本画像を保存する。
【００４６】
Ｓ３１７では、システム制御部５０は、動画記録を開始し、節電開始時間Ｔ２の計測を開始する。本実施例では、長期間にわたって複数回の撮影を行うが、撮影と撮影の間に節電モードに切り替え、表示部２８に画像を表示させなくなる分消費電力を抑えることができる。再生画像表示中、静止画または動画の撮影待機中に操作部７０に含まれるＭＥＮＵボタンを押下することによって、節電モードの入切と、表示部２８へ最後に表示がされてから節電モードが開始されるまでの時間の設定をすることができる。このＳ３１７では、Ｓ３１４で撮影され、Ｓ３１５で黒引き処理が行われた静止画を動画のフレームとして記録し動画ファイルフォーマットに変換後、記録媒体２００へ記録する。このように、Ｓ３０７で設定された撮影間隔に従って、静止画撮影が繰り返し行われ、動画ファイルに追記されることでインターバル動画（タイムラプス動画）が生成される。
【００４７】
Ｓ３１８では、システム制御部５０は、撮影した静止画（Ｓ３１５で生成した画像）を表示部２８に表示する。
【００４８】
Ｓ３１９では、システム制御部５０は、撮影間隔Ｔ１が経過したか否かを判定する。経過したと判定した場合には、Ｓ３２２へ進み、そうでない場合はＳ３２０へ進む。
【００４９】
Ｓ３２０では、システム制御部５０は、節電開始時間Ｔ２が経過したか否かを判定する。経過したと判定した場合には、Ｓ３２１へ進み、そうでない場合はＳ３１９へ戻る。
【００５０】
Ｓ３２１では、システム制御部５０は、表示画像（１枚目の静止画）を表示部２８に表示させるのをやめ、表示部２８には画像やその他撮影に関する情報の表示を行わない。このように節電モードが開始されると表示部２８に表示を行わない。また、システムメモリ５２に記憶している各種変数（総撮影時間、撮影間隔Ｔ１、素材保存設定の有無、撮影回数のカウンタの値を含む）を記録媒体２００に記憶させる。このように各種変数を記録媒体２００に記憶させることで、節電モードの終了時に再び節電開始前に設定していた変数のまま一連の撮影を継続することができる。退避させた各情報（画像データ含む）は、その後何らかの復帰操作があるか、Ｓ３２２での次の撮影のステップへ移行すると、記録媒体２００から読み出して元のメモリに記録する。また、Ｓ３１６で記録媒体２００に記憶させた１枚目の静止画を表示部２８に再び表示させることができる。
【００５１】
節電モードの開始後、Ｓ３１４から撮影間隔Ｔ１が経過するまで、もしくは、動画ボタンが押下されるまでは、Ｓ３２１の節電モードの状態のままである。しかし、ユーザによる操作部７０への操作、電源スイッチ７２やシャッターボタン６１の押下といった指示操作によって節電モードは終了し、表示部２８へ再び節電モード開始前と同様の表示を行い（節電モードから復帰する）、節電開始時間Ｔ２の計測を開始する。つまり、節電モード開始後にユーザによる操作によって節電モードが終了すると、Ｓ３１７へ進む。このように節電モードを終了する時には、記録媒体２００に記録した画像を読みだすことで表示部２８に画像を表示させることができる。節電モードの開始に応じて記録媒体２００に記録された画像は、節電モードの終了に応じて記録媒体２００から削除され、再び節電モードが開始されると再び記録媒体２００に記録される。
【００５２】
なお、節電モードは、節電モード開始後に一定時間が経過したら節電モードを終了し、Ｓ３２７において途中経過レビュー表示がされるまで再び表示部２８に節電モード開始前の画像を表示しても良い。
【００５３】
Ｓ３２２〜Ｓ３２３は、２回目以降の撮影であり、１回目であるＳ３１４〜Ｓ３１５の処理と同様の処理である。
【００５４】
Ｓ３２４では、システム制御部５０は、Ｓ３０９において素材保存設定がされているか否かを判定する。素材保存設定がされていると判定された場合には、Ｓ３２５へ進み、そうでない場合はＳ３２６へ進む。
【００５５】
Ｓ３２５では、システム制御部５０は、最新の静止画（最新のＳ３２２において撮影され、最新のＳ３２３において黒引き処理が行われた画像）を静止画の画像ファイルとして記録媒体２００に記録する。
【００５６】
Ｓ３２６では、システム制御部５０は、最新の静止画を動画のフレームとしてＳ３１７で作成した動画ファイルに追加で記録し動画ファイルフォーマットに変換後、記録媒体２００へ記録する。
【００５７】
Ｓ３２７では、システム制御部５０は、表示部２８に途中経過レビュー表示を行い、節電開始時間Ｔ２の計測を開始する。途中経過レビューの一例は、最新の静止画の撮影後に、Ｓ３１６において記録された１枚目の静止画（記録媒体２００から読みだす）と、最新の静止画とを、表示部２８に並べて表示させることである。
【００５８】
図４（ａ）に、途中経過レビュー表示の表示例を示す。画像４０１は１枚目の静止画、画像４０５は最新の静止画である。このように表示することでユーザは、１枚目の静止画と最新の静止画を比較することができ、被写体の変化を一目で確認することができる。１枚目の静止画では星４０２、波４０４、雲４０３がそれぞれの位置に写っており、空は明るく撮影されている。最新の静止画と１枚目の静止画を比較することで、星は星４０２から星４０６の位置へ移動し、波は波４０４から波４０８のように引いていき撮影範囲を閉める面積が小さくなってきていることが分かる。さらに、雲は雲４０３から雲４０７のように数が少なくなりさらに撮影範囲における雲の位置も変化し、空の色が画像４０１の静止画と比較して暗くなっていることが確認できる。このように１枚目の静止画と最新の静止画を並べて表示することで撮影範囲内の様々な被写体の変化を確認することが容易になる。ユーザが星４０２から星４０６までの移動距離から、動画中の星の動きとして十分な距離動いたと判断した場合にはここで撮影を止める指示をすることができる。さらに、波４０４と波４０８を比較することで、波が引いていく様子が十分に伝わると判断した場合にはここで撮影を止める指示をしてもよい。このように最初の状態から最新の状態までに被写体の変化の大きさを確認することで、撮影を終了する指示を行うか否かを容易に判断することができるようになる。
【００５９】
図４（ｂ）に、途中経過レビュー表示の他の表示例を示す。このように１枚目と最新の静止画を比較明合成した合成画像４２０（静止画）を表示部２８に表示するようにしてもよい。他の被写体よりも星が明るい場合、比較明合成をすることで１枚目と比較して明るい被写体のみが重畳合成される。よって、図４（ｂ）に示すように、動画中の星の動く様子を撮影したい場合には、星４０９から星４１０の位置へ星がどのくらい移動したのか合成画像により分かり、撮影を継続するか否かが判断しやすくなる。また、他の被写体よりも暗い被写体の変化について詳しく確認したい場合には、比較暗合成を行っても良い。
【００６０】
また、途中経過レビューの他の表示例としては、少なくとも１枚目と最新の静止画とからなる（一連の撮影において撮影した全ての画像を含まない）簡易動画がある。例えば、１枚目から最新の静止画と、１枚目から最新の静止画までの奇数枚目もしくは偶数枚目といった、不連続な複数枚の静止画を含めた簡易動画を作成して表示することで、インターバル動画に含まれる被写体の変化の様子が分かる。よって、インターバル動画中に含まれる変化の様子を確認することで、撮影を終了する指示を行うか否かを容易に判断することができるようになる。また、簡易動画に含める静止画は例えば奇数枚目や偶数枚目というように、撮影回数が増えるに従って増えるようにしてもよい。また、例えば何枚撮影しても１枚目と最新の静止画と、１枚目と最新の撮影の間の撮影で得られた静止画の３枚のみというように、所定枚数を簡易動画に含めるようにしてもよい。
【００６１】
また、途中経過レビューの他の表示例としては、少なくとも１枚目と最新の静止画を含む（一連の撮影において撮影した全ての画像を含まない）複数の静止画を自動的に１枚ずつ切替えて表示するようにしてもよい。
【００６２】
Ｓ３２８では、操作部７０の動画ボタンがオンになったか否かを判定する。オンになったと判定した場合には、Ｓ３３３へ進み、そうでない場合はＳ３２９へ進む。オンになった場合とは、ユーザが撮影を途中で終了する指示をした場合である。
【００６３】
Ｓ３２９は、システム制御部５０は、撮影間隔Ｔ１が経過したか否かを判定する。経過したと判定した場合には、Ｓ３３２へ進み、そうでない場合はＳ３３０へ進む。
【００６４】
Ｓ３３０では、システム制御部５０は、節電開始時間Ｔ２が経過したか否かを判定する。経過したと判定した場合には、Ｓ３３１へ進み、そうでない場合はＳ３２７へ戻る。
【００６５】
Ｓ３３１では、システム制御部５０は、表示中の途中経過レビューを表示部２８に表示させるのをやめ、表示部２８には画像の表示を行わない。このように節電モードが開始されると、表示部２８には画像の表示を行わない。さらに、１枚目と最新の静止画が表示されている途中経過レビューの画面を記録媒体２００に記録（メモリ３２から記録媒体２００に退避させる）させる。
【００６６】
節電モードの開始後、Ｓ３２２から撮影間隔Ｔ１が経過するまで、もしくは、動画ボタンが押下されるまでは、Ｓ３３１の節電モードの状態のままである。しかし、ユーザによる操作部７０への操作、電源スイッチ７２やシャッターボタン６１の押下といった指示操作によって節電モードは終了し、表示部２８へ再び節電モード開始前と同様の表示を行い（節電モードから復帰する）、節電開始時間Ｔ２の計測を開始する。つまり、節電モード開始後にユーザによる操作によって節電モードが終了すると、Ｓ３２７へ進む。
【００６７】
Ｓ３３２では、システム制御部５０は、Ｓ３０５で設定した総撮影時間が経過したか否かを判定する。経過したと判定した場合には、Ｓ３３３へ進み、そうでない場合はＳ３２２へ戻る。
【００６８】
Ｓ３３３では、システム制御部５０は、動画ファイルの終了処理を行う。Ｓ３１７及びＳ３２６において作成された動画ファイルの属性情報、フレーム間情報、サムネイルの作成、圧縮処理等を行い作成した動画ファイルを再生できるような処理を行う。これらの情報は記録媒体２００に動画ファイルと共に保存される。また、素材保存設定がされていない場合は、Ｓ３１６において記録媒体２００に保存した基本画像を削除する。
【００６９】
Ｓ３３４では、システム制御部５０は、レックレビューが設定されているか否かを判定する。レックレビュー表示とは、撮影画像の確認のために、一連の撮影で行った画像データを表示部２８に表示する処理である。本実施例においては、作成した動画ファイルを再生することである。設定されていると判定された場合にはＳ３３５へ進み、そうでない場合はＳ３３６へ進む。
【００７０】
Ｓ３３５では、システム制御部５０は、表示部２８に対し撮影処理で得られた画像データのレックレビュー表示を行う。なお、動画ファイルのフレームレートと１枚の画像に割当てるフレームの数は、ユーザが設定できるようにしてもよい。ユーザの設定によって撮影した被写体が実際よりも早く動く動画もしくはゆっくりした動く動画を撮影することができる。
【００７１】
Ｓ３３６では、システム制御部５０は、スルー画像を表示部２８に表示した状態でＳ３０１へ戻る。
【００７２】
以上、説明した処理によれば、インターバル動画の撮影中に１枚目と最新の静止画とに基づいた表示することで、ユーザは色や被写体の配置関係等の被写体の変化が撮影の開始からどの程度あったのかを容易に比較することができる。これにより、ユーザは撮影時間や枚数といった情報からだけでなく、撮影開始時の静止画より被写体の位置、色、配置関係といった様子を把握し、さらに最新の静止画と比較することで、被写体の変化の様子を把握し、撮影の継続や終了の判断を行いやすくなる。また、比較明合成を行った場合には１枚目の明るい被写体と最新の静止画の明るい被写体の位置や色といった変化を容易に確認することができる。また、素材を保存する設定を行った場合には動画ファイルの作成と同時に静止画も記録することができる。
【００７３】
つまり、本実施例では、３回目の撮影の後には１回目の撮影で得られた画像と最新である３回目の撮影で得られた画像とを表示部２８に表示するが、２回目の撮影で得られた画像は表示しない。また、４回目の撮影の後にも、１回目の撮影で得られた画像と４回目の撮影で得られた画像とを表示部２８に表示するが、２回目、３回目の撮影で得られた画像は表示しない。
【００７４】
なお、１枚目の静止画と最新の静止画を比較明合成もしくは比較暗合成する例についても説明したが、１枚目から最新の静止画までを比較明合成または比較暗合成することも有効である。このように合成することで、ユーザは明るい（または暗い）被写体の軌跡から動画中の被写体の動きを知ることもできる。
【００７５】
さらに、本実施例では同一の被写体を同じ位置から撮影するような例を示したが、所定間隔毎に撮影を行う位置を変えても良い。撮影を行う位置を一連の撮影の途中で変える場合には、最初の撮影での位置から撮影された被写体と最新の撮影を行った位置から撮影された被写体とを比較することができる。よって、撮影を行う位置を一連の撮影の途中で変更した場合にも、インターバル動画中にどの程度被写体の写り方に変化があったのかを知ることで、撮影を継続するか否かを判断することができる。
【００７６】
なお、本実施例では時間間隔の初期値は１分を示したが、本発明はこれに限定されず３分、２時間、１日といった値でもよい。
【００７７】
また、本実施例では基本画像が１枚目の静止画である場合について説明をしたが、１枚目でなくても２枚目や３枚目といった所定の枚数目の静止画を基本画像としてもよい。
【００７８】
なお、本実施例では最新の撮影の後に最新の静止画と１枚目の静止画との２枚の静止画に基づいた表示をすることを説明したが、本発明はこれに限らない。具体的には、１枚目と最新の静止画を共に表示しなくても、少なくとも１枚目の静止画を表示することで、ユーザは１枚目の撮影範囲内の被写体がどのような状況であったかを知り、現在の被写体との比較をすることができる。
【００７９】
［実施例２］
次に図５を参照して実施例２について説明する。実施例２は、実施例１と前述の図３のフローチャート以外については同様のものとする。実施例１では１枚目の静止画を基本画像として最新の画像と比較するために使用したが、実施例２ではユーザの所望の変化が起きた時に撮影された静止画を基本画像として使用する。この処理は、不揮発性メモリ５６に記録されたプログラムをシステムメモリ５２に展開してシステム制御部５０が実行することで実現する。
【００８０】
Ｓ５０１〜Ｓ５１５は、図３のＳ３０１〜Ｓ３１５と同様の処理である。
【００８１】
Ｓ５１６は、図３のＳ３１７と同様の処理である。
【００８２】
Ｓ５１７は、システム制御部５０は、撮影した静止画（Ｓ５１５で生成した画像）を表示部２８に表示し、記録媒体２００に記憶させる。
【００８３】
Ｓ５１８では、システム制御部５０は、直前のＳ５１４で撮影しＳ５１５で黒引き処理を行った静止画が１回目に撮影した静止画（１枚目の静止画）であるか否かを判定する。１枚目の静止画であると判定された場合には、Ｓ５１９へ進み、そうでない場合はＳ５２０へ進む。
【００８４】
Ｓ５１９では、システム制御部５０は、ユーザからの１枚目の画像から撮影範囲に変化があったと判定するための変化条件の設定を受け付ける。変化条件で設定された範囲にある被写体に動きや色の変化が生じたときに撮影した静止画に変化が起きたと判定するものとする。
【００８５】
図４（ｃ）に、変化条件の設定の例と変化があった場合の例を示す。画像４１３で示される１枚目の静止画のうち範囲４１１を被写体に変化があったと判定するための範囲（変化条件）として設定した場合について説明する。画像４１３と画像４１４では範囲４１１内の被写体の形状が異なるため、画像４１４が撮影された時には画像４１３が撮影された時と比較して被写体に変化があったと判定される。また、初めて変化条件として設定した範囲内において形状や色の変化があったときに撮影された画像を基本画像とすることで、変化が起きた時点からの撮影範囲内の変化を比較することができる。
【００８６】
図４（ｃ）に示す例では、画像４１３で示される１枚目の静止画からつぼみのある範囲４１１の領域を変化条件として設定することで、つぼみが開き始めた画像４１４の画像が基本画像となる。基本画像と最新の静止画を比較することで、つぼみが開き始めてから（被写体に所望の変化が起きてから）どのような変化が起きたのかをユーザは確認することができる。
【００８７】
Ｓ５２０では、システム制御部５０は、記録媒体２００に記憶されている１枚目の画像と最新のＳ５１４において撮影された画像を比較し、撮影範囲に変化があったか否かを判定する。変化があったと判定した場合には、Ｓ５２５へ進み、そうでない場合はＳ５２１へ進む。
【００８８】
Ｓ５２１〜Ｓ５２３は、図３のＳ３１９〜Ｓ３２１と同様の処理である。
【００８９】
Ｓ５２４では、システム制御部５０は、Ｓ３０５で設定した総撮影時間が経過したか否かを判定する。経過したと判定した場合には、Ｓ５０１へ戻り、そうでない場合はＳ５２１へ進む。
【００９０】
Ｓ５２５では、システム制御部５０は、Ｓ５２０において変化があったと判定された図４（ｃ）の画像４１４で示される最新の静止画を基本画像として記録媒体２００に残す。また、各Ｓ５１７のステップにおいて記録媒体２００に記憶させた基本画像となった画像以外の画像を削除する。基本画像は、この後の静止画の撮影後に最新の静止画と比較して表示するために使用される。最新の静止画は撮影処理が行われるたびに置き換えられていくが、基本画像は撮影回数を重ねてもＳ５２０で変化があったと判定された静止画のまま変わらない。このように同じ静止画を基本画像として使用することで、ユーザは被写体に所望の変化が起きた時点からどのような変化があったのかをすぐに比較し、確認することができる。
【００９１】
Ｓ５２６では、システム制御部５０は、撮影間隔Ｔ１が経過したか否かを判定する。経過したと判定した場合には、Ｓ５３０へ進み、そうでない場合はＳ５２７へ進む。
【００９２】
Ｓ５２７〜Ｓ５２９は、Ｓ５２２〜Ｓ５２４と同様の処理である。
【００９３】
Ｓ５３０〜Ｓ５４４は、図３のＳ３２２〜Ｓ３３６と同様の処理である。なお、Ｓ５３５で表示する途中経過レビュー表示は、図３のＳ３２７とは異なり、Ｓ５２５で記録媒体２００に記録された基本画像とＳ５３０で撮影された画像を表示する。また、Ｓ５４１では、Ｓ５２５で基本画像として記録媒体２００に残された画像を削除する。
【００９４】
以上、説明した処理によれば、インターバル動画の撮影中に基本画像と最新の静止画を比較することで、被写体の変化が所望の変化が起きた時から撮影範囲の色や被写体の配置関係等にどの程度変化があったのかを容易に比較することができる。これにより、ユーザは撮影時間や枚数といった情報からだけでなく、被写体の変化の様子によって撮影の継続や終了の判断を行いやすくなる。
【００９５】
なお、実施例２では変化条件は撮影範囲のうちのユーザにより事前に設定された範囲内に変化が起こることであると説明したが、変化条件は撮影範囲内に起きた変化点の個数でもよい。この場合、Ｓ５１９で変化点の個数を設定し、Ｓ５２０で１枚目の画像と比較して設定した個数分の変化した箇所（変化点）があると判定された最新の静止画を基本画像とするようにすればよい。また、基本画像はユーザが所望の静止画に設定するようにしてもよく、その場合には、Ｓ５１９とＳ５２１〜Ｓ５２４の処理を行うことなくＳ５２０において、撮影した静止画を基本画像に設定するか否かの選択を受け付けるようにすればよい。
【００９６】
なお、上述の各実施例においては、途中経過レビューを行うか否かをユーザが設定できるようにしてもよく、途中経過レビューを行わないと設定された場合には、直前に撮影された静止画のみが表示部２８に表示される。
【００９７】
また、本実施例では総撮影時間と撮影間隔を設定する例を示したが、総撮影枚数と撮影間隔を設定するようにしてもよく、総撮影枚数と総撮影時間に制限を設けなくてもよい。また途中経過レビューは撮影後に毎回表示しなくともよい。例えば、基本画像の次の静止画の撮影後から総撮影時間内に撮影された静止画の撮影後、または、基本画像の次の静止画の撮影後から総撮影枚数目までの静止画の撮影後のうち奇数番目の撮影後といったいずれかの撮影後でもよい。このように設定することでさらなる節電が可能となる。
【００９８】
なお、基本画像と最新の静止画を同時に表示部２８に表示する例を示したが、基本画像と最新の静止画だけでなくても基本画像と最新の静止画が撮影された回の中間の回に撮影された静止画も同時に表示してもよい。また、基本画像から奇数番目または偶数番目に撮影された静止画を表示させてもよいし、ユーザの設定した条件を満たす静止画を同時に表示するようにしてもよい。さらに、本実施例では同時に表示する例を挙げたが、基本画像と最新の静止画を比較することができればよいので、基本画像と最新の静止画を交互に表示部２８に表示するようにしてもよい。
【００９９】
なお、システム制御部５０の制御は１つのハードウェアが行ってもよいし、複数のハードウェアが処理を分担することで、装置全体の制御を行ってもよい。
【０１００】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０１】
また、上述した実施形態においては、本発明をデジタルカメラ１００に適用した場合を例にして説明したが、これはこの例に限定されず撮影制御手段を有する電子装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、顕微鏡などに適用可能である。
【０１０２】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2015233249.tif 000003
【図２】
2015233249.tif 000004
【図３】
2015233249.tif 000005
【図４】
2015233249.tif 000006
【図５】
2015233249.tif 000007